(57)【要約】【課題】テープカセット用収納ケースの輸送するときや保管するときなどにおいていずれも取り扱いに便利なテープカセットを提供する。【解決手段】テープカセットを収納する収納ケース本体１１を備え、収納ケース本体１１の表面には表側面１２と裏側面１３とが形成され、表側面１２及び裏側面のうちいずれか一方には、シート部材１８を配設する凹部領域１３ｂが形成され、且つ、表側面１２及び裏側面１３のうちいずれか他方には、異なる収納ケース本体同士を表側面と裏側面とで重ね合わせたときに凹部領域を区画する段差１６に規制されるように複数のリブ１４が設けられ、リブ１４には収納ケース本体１１の表面に対して傾斜する傾斜面１４ｂ，１４ｃが形成されている【選択図】  図１
2005001710.tif 000002
【特許請求の範囲】
【請求項１】
テープカセットを収納する収納ケース本体を備え、前記収納ケース本体の表面には表側面と裏側面とが形成され、前記表側面及び前記裏側面のうちいずれか一方には、シート部材を配設する凹部領域が形成され、且つ、前記表側面及び前記裏側面のうちいずれか他方には、異なる収納ケース本体同士を表側面と裏側面とで重ね合わせたときに前記凹部領域を区画する段差に規制されるように複数のリブが設けられ、前記リブには前記収納ケース本体の表面に対して傾斜する傾斜面が形成されていることを特徴とするテープカセット用収納ケース。
【請求項２】
前記傾斜面が前記収納ケース本体の表面に対して３０°から６０°の角度で形成されていることを特徴とする請求項１に記載のテープカセット用収納ケース。
【請求項３】
前記複数のリブが、異なる収納ケース本体における複数のリブと係合可能に形成されていることを特徴とする請求項１に記載のテープカセット用収納ケース。
【発明の詳細な説明】
【０００１】
【発明の属する技術分野】
本発明は、ＶＴＲ（ビデオテープレコーダ）に使用されるテープカセットを収納するのに用いられるテープカセット用収納ケースに関する。
【０００２】
【従来の技術】
従来、テープカセットが多用されている。これらテープカセットは、塵埃や落下時の衝撃等から保護するために、テープカセット用収納ケース（以下、収納ケースともいう。）に入れられて携帯・保管されている（例えば、特許文献１参照）。
【０００３】
【特許文献１】
特開平１０−２１１９８４号公報
【０００４】
【発明が解決しようとする課題】
ところで、テープカセットを収納した収納ケースを鉛直方向に積み重ねて台車上に置いて輸送するときなどに、台車の振動に伴い収納ケース同士の重なり合う位置がずれて、収納ケースがバランスを崩して落下することがあり取り扱い難かった。
また、積み重ねた収納ケース同士のずれを防止するためには、収納ケース同士が重なる部分に凹凸を設けることで互いに係合する構成とすることが考えられる。しかし、収納ケースをラックに並べて保管すると、収納ケース同士の重なる部分において上記凹凸が互いに引っ掛かるため収納ケースを取り出しにくくなり、却って取り扱い難かった。
このため、輸送するとき等には積み重ねた収納ケースが崩れ落ちてしまうことを防止でき、且つ、保管するときなどには重ね合わされた収納ケースから適宜取り出し易いといった、取り扱いに便利なテープカセットの要望が強かった。
本発明は、上記事情に鑑みてなされたもので、その目的は、テープカセット用収納ケースを輸送するときや保管するときなどにおいて、いずれも取り扱いに便利なテープカセット用収納ケースを提供することにある。
【０００５】
【課題を解決するための手段】
本発明の上記目的は、テープカセットを収納する収納ケース本体を備え、前記収納ケース本体の表面には表側面と裏側面とが形成され、前記表側面及び裏側面のうちいずれか一方には、シート部材を配設する凹部領域が形成され、且つ、前記表側面及び裏側面のうちいずれか他方には、異なる収納ケース本体同士を表側面と裏側面とで重ね合わせたときに前記凹部領域を区画する段差に規制されるように複数のリブが設けられ、前記リブには前記収納ケース本体の表面に対して傾斜する傾斜面が形成されていることを特徴とするテープカセット用収納ケースによって達成される。
【０００６】
上記テープカセット用収納ケースによれば、輸送する際に収納ケース同士を積み重ねると、収納ケースの表側面又は裏側面に設けられた複数のリブが重ね合わされる収納ケースの凹部領域内に位置する状態となり、振動により収納ケース同士が相対的に移動しても上記リブが凹部領域を区画する段差に規制されることによって積み重ねられた収納ケースの位置がずれることを防止できる。このため、輸送する際に積み重ねられた収納ケースがバランスを崩して落下することを防止できる。また、ラックに重ね合わされて保管された複数の収納ケースから収納ケースを取り出す際には、使用者が収納ケースを手指で把持しつつ収納ケースの所定方向に力（輸送時の振動によってずれる力よりも大きな力）を加えると、把持された収納ケースにおけるリブが、傾斜面によって段差を乗り上げて凹部領域の外側に移動する。こうして、収納ケース同士の移動の規制が解除され、収納ケースを取り出すことができる。このため、取り出される収納ケースに隣接する収納ケースが、リブと凹部領域の段差との係合により取り出される収納ケースに追従することでラックにおける適正な保管位置からはみ出てしまうことを防止できる。こうして、使用者は、取り出す必要のない収納ケースを押さえつけつつ所望の収納ケースを取り出すといった煩わしい作業をする必要なく、容易に所望の収納ケースを取り出すことができる。
【０００７】
また、保管時に収納ケースを並べるときなどにおいて、重ね合わされる収納ケース同士間においてリブが凹部領域を区画する段差で規制されることによって、収納ケース同士の重なり合う位置が一定となる。このため、複数の収納ケースを保管するときには、重ね合わせる方向に沿って整然と並べることができ、収納し易くなる。
【０００８】
さらに、凹部領域に配設されるシート部材は、通常、収納ケースにおける他の部位を構成する樹脂よりも摩擦係数が大きい樹脂によって構成される。このため、リブが凹部領域内に位置する状態で、リブの一部が凹部領域のシート部材と摺動することで、従来のように収納ケースにおける他の部位と摺動する場合に比べて、より大きい摩擦抵抗を得ることができる。このため、重ね合わされる収納ケース同士が相対的にずれてしまうことをより一層顕著に抑制することができる。このとき、シート部材を構成する樹脂の種類を変えることで、リブと凹部領域との摺動箇所における摩擦抵抗を適宜調整することができる。
したがって、本発明にかかるテープカセット用収納ケースによれば、輸送するときや保管するときなどにおいていずれのときも取り扱いが便利である。
【０００９】
上記テープカセット用収納ケースにおいて、傾斜面が収納ケース本体の表面に対して２０°から５０°の角度で形成されていることが好ましい。
また、上記テープカセット用収納ケースにおいて、複数のリブが、異なる収納ケース本体における複数のリブと係合可能に形成されていることが好ましい。
【００１０】
【発明の実施の形態】
以下、本発明の実施形態を図面に基づいて詳しく説明する。
図１は、本発明にかかるテープカセット用収納ケースの表側面を示す全体斜視図であり、図２は、図１に示す収納ケースの裏側面を示す全体斜視図であり、図３は、図１のＡ−Ａ線断面図であり、図４は、図１のＢ−Ｂ線断面図であり、図５は、図２のＣ−Ｃ線断面図である。
図１に示すテープカセット用収納ケース１０は、一般にハードケースと呼ばれるものである。収納ケース１０は、ポリプロピレン等からなる。
【００１１】
収納ケース１０は、収納ケース本体１０ａを備えている。収納ケース本体１０ａは、収納部１１と、収納部１１に連結された蓋部１１ｃとを備えている。収納部１１は、長方形状の底板１１ａと、底板１１ａの両短辺に沿って立設した側壁１１ｂと、底板１１ａの一方の長辺に沿って立設した端壁１１ｄとを備えている。収納ケース本体１０ａの内側には底板１１ａ、側壁１１ｂ及び端壁１１ｄによりテープカセットを収容する空間が区画される。
底板１１ａの他方の長辺に沿ってヒンジ部などを介して折り畳み可能に連結片１５が設けられている。
【００１２】
蓋部１１ｃは、収納部１１の底板１１ａと同面積の長方形状を有し、一方の長辺にはヒンジ部などを介して折り畳み可能に連結片１５が連結されている。
収納ケース１０は、収納部１１を基盤として、連結片１５及び蓋部１１ｃを図１中矢印Ｒ方向に回動させて開き、テープカセットを収納することができる構造である。
【００１３】
ここで、本実施形態の収納ケース１０において、図１に示す蓋部１１ｃの上面を表側面１２とし、図２に示す収納部１１の底板１１ａの上面を裏側面１３とする。
【００１４】
図１に示すように、蓋部１１ｃには、表側面１２の上方視において長方形状の窓部１２ａが設けられている。窓部１２ａは透明な樹脂製であり、使用者が窓部１２ａを介して収納部１１の内部にテープカセットが収納されているか否かを視認することが可能である。
【００１５】
図１に示すように、収納ケース１０の表側面１２において、蓋部１１ｃの長辺と窓部１２ａの長辺とのそれぞれの間には複数のリブ１４が突設されている。
複数のリブ１４はそれぞれ、収納ケース１０の長手方向（図１中矢印Ｘ方向）に沿って所定の間隔をあけて設けられている。図１において、蓋部１１ｃの両長辺側に各１０個のリブ１４が設けられている構造を示しているが、リブ１４の数は特に限定されない。
【００１６】
図２に示すように、収納ケース１０の裏側面１３には、底板１１ａの両短辺側に位置する平坦面１３ａと、これら平坦面１３ａ間に段差１６によって区画された帯状の凹部領域１３ｂとが設けられている。凹部領域１３ｂは、収納ケース１０の裏側面１３の一方の長辺中央から連結片１５を介して蓋部１１ｃの一方の長辺中央にわたって設けられている。凹部領域１３ｂには透明のポリプロピレン製などのシート部材１８が配設されている。シート部材１８は、凹部領域１３ｂの周縁に沿うような帯形状を有し、その一端が凹部領域１３ｂにおける底板１１ａの長辺側端部のシート溶着部１７において熱溶着されている。シート部材１８の他端が、凹部領域１３ｂにおける蓋部１１ｃの一方の長辺中央部のシート溶着部１９に熱溶着されている。こうして、凹部領域１３ｂにシート部材１８を溶着固定することでポケットが区画され、このポケットには、収納ケース１０に収納される磁気カセットテープの製品情報等を記録するためのケースカードＬが図２中矢印で示すように収容される。
ここで、シート溶着部１７は、溶着時の盛り上がりによって突出した形状を有する。このとき突出する高さが０．１ｍｍ〜０．３ｍｍになるように形成されている。
【００１７】
次に、図１，図３及び４を参照して、リブの形状を説明する。
図１に示すように、リブ１４は、表側面１２上面視において、収納ケース１０の短手方向（図１中矢印Ｙ方向）に沿って長辺を有する長方形状である。
リブ１４は、長方形状の突設面１４ａと、表側面１２からこの突設面１４ａの両長辺にわたって形成された傾斜面１４ｂと、表側面１２から両短辺にわたって形成された傾斜面１４ｃとを有している。
【００１８】
図３に示すように、リブ１４は、傾斜面１４ｃが表側面１２に対して所定の角度Ｄ１で傾斜し、突設面１４ａが表側面１２に対して高さＲを有するように構成され、また、図４に示すように、リブ１４は、傾斜面１４ｂが表側面１２に対して所定の角度Ｄ２で傾斜し、突設面１４ａが表側面１２に対して高さＲを有するように構成されている。本実施形態において、角度Ｄ１を３０°、角度Ｄ２を３０°、リブ１４の高さＲを０．３ｍｍとした。また、角度Ｄ１，Ｄ２は本実施形態に限定されず、角度Ｄ１を２０°〜５０°とすることが好ましく、角度Ｄ２を２０°〜５０°とすることが好ましい。
【００１９】
図５に示すように、平坦面１３ａから凹部領域１３ｂまでの段差１６の高さＳは、シート部材１８の厚み寸法以上となるように設定されている。本実施形態において、シート部材１８の厚みが０．１５ｍｍであり、段差の高さＳが０．４ｍｍである。
【００２０】
次に、図６を参照して、上記収納ケース１０を複数積み重ねた状態について説明する。図６は、複数の収納ケースを複数積み重ねた状態を示す図である。図７は、図６において収納ケースの重ね合う部分を図６中矢印Ｚ方向に見た状態を説明する拡大図である。
図６，図７に示すように、複数のリブ１４は、異なる収納ケース本体同士を表側面１２と裏側面１３とで重ね合わせたときに凹部領域１３ｂ内に位置するように設けられている。
【００２１】
複数のリブ１４は、凹部領域１３ｂ内に位置した状態で、突設面１４ａがシート部材１８を介して凹部領域１３ｂに突き当たる。そして、重なり合う収納ケース１０が長手方向（図６，７中矢印Ｗで示す方向）に相対的に移動すると、図７中上方の収納ケース１０Ａの段差１６が同図中下方の収納ケース１０Ｂのリブ１４の傾斜面１４ｂに当接する。このため、リブ１４が段差１６に規制されて凹部領域１３ｂの外側に移動することが防止される。図示しないが、矢印Ｗ方向反対側の段差においても同様にリブの移動が規制される。
【００２２】
また、異なる収納ケース本体同士を表側面１２と裏側面１３とで重ね合わせた状態において、図２に示すように、複数のリブ１４が収納ケース１０の短手方向（図中矢印Ｙ方向の反対方向）に移動すると、シート溶着部１７にリブ１４の傾斜面１４ｃ（図１参照）が当接する。こうして、重なり合う収納ケース１０同士が互いの短手方向に相対的に移動することが規制される。
【００２３】
上記収納ケース１０によれば、輸送する際に収納ケース１０同士を積み重ねると、収納ケース１０の表側面１２に設けられた複数のリブ１４が重ね合う収納ケース１０の凹部領域１３ｂ内に位置する状態となる。そして、収納ケース１０同士が相対的に移動する場合には、リブ１４が段差１６又はシート溶着部１７に当接することによって、積み重ねられた収納ケース１０同士の相対位置がずれてしまうことが規制される。このため、輸送する際に積み重ねられた収納ケース１０がバランスを崩して落下することを防止できる。
【００２４】
また、重ね合わされてラック等に保管された複数の収納ケース１０から任意の収納ケース１０を取り出す際には、使用者が収納ケース１０を手指で把持しつつ収納ケース１０に力を加えることで、把持された収納ケース１０のリブ１４が、段差１６やシート溶着部１７に当接しつつ傾斜面１４ｂ，１４ｃによって凹部領域１３ｂの外側に乗り上げる。つまり、輸送時の振動によってずれる力よりも大きな力を加えた場合は、段差１６によるリブ１４の規制は容易に解除される。こうして、収納ケース１０同士の移動の規制が解除されて収納ケース１０を相対的に移動させることができ取り出すことができる。このため、ラックで保管する際には、取り出される収納ケース１０に隣接する収納ケースが取り出される収納ケース１０に追従することに起因して適正な保管位置からはみ出てしまうことを防止できる。
こうして、使用者は、取り出す必要のない収納ケースを押さえつけつつ所望の収納ケースを取り出すといった煩わしい作業をする必要なく、容易に所望の収納ケースを取り出すことができる。
【００２５】
また、保管時などの収納ケース１０を並べる際には、重ね合わされる収納ケース１０同士間においてリブ１４が凹部領域１３ｂ内に位置することによって、重ね合わせる位置がいずれの収納ケース１０間においても一定になる。このため、複数の収納ケース１０を保管するときなどには、重ね合わせる方向に沿って整然と並べることができ、収納し易くなる。
【００２６】
さらに、凹部領域１３ｂに配設されるシート部材１８は、通常、収納ケース１０における他の部位を構成する樹脂よりも摩擦係数が大きい樹脂によって構成される。このため、複数のリブ１４が凹部領域１３ｂ内に位置した状態で、リブ１４の突設面１４ａが凹部領域１３ｂのシート部材１８に摺動することで、従来のように収納ケース１０における他の部位と摺動する場合に比べて、より大きい摩擦抵抗を得ることができる。このため、重ね合わされる収納ケース１０同士が相対的にずれてしまうことをより一層顕著に抑制することができる。このとき、シート部材１８を構成する樹脂の種類を変えることで、リブ１４と凹部領域１３ｂとの摺動箇所における摩擦抵抗を適宜調整することができる。
複数のリブ１４は、使用者が収納ケース１０を取り扱う際においてグリップとして機能するため、使用者がリブ１４を手指で把持することで収納ケース１０を取り扱いやすくなる。
したがって、本発明にかかるテープカセット用収納ケースによれば、輸送するときや保管するときなどにおいていずれのときも取り扱いが便利である。
【００２７】
上記収納ケース１０において、複数のリブ１４が、異なる収納ケース１０の複数のリブ１４と係合可能に形成されていることが好ましい。
図８は、本実施形態の収納ケースが表側面同士で重なり合わせされた状態を示す図である。図９は、図８において複数のリブが対向した状態を説明する図であり、図１０は、図９に示す対向する複数のリブが互いに係合した状態を説明する図である。
図９に示すように、収納ケース１０Ａ，１０Ｂ同士を重ね合わせる場合には、重ね合わされる収納ケース１０Ａ，１０Ｂのそれぞれの表側面１２に設けられた複数のリブ１４が互いに対向し、図９中矢印に示す方向にそれぞれの収納ケース１０Ａ，１０Ｂを重ね合わせるとリブ１４の突設面１４ａ同士が付き合わされた状態となる。
【００２８】
そこで、本実施形態の複数のリブ１４は、突設面１４ａの幅（図９中左右方向の寸法）Ｔが複数のリブ１４同士の間の谷部１４ｄの間隔Ｖと同じになるように形成されている。こうすることで、図９のように互いに対向する複数のリブ１４を重ね合わせたときに、平面方向に僅かにずらすことで一方の収納ケース１０Ａに設けられたリブ１４の突設面１４ａが、他方の収納ケース１０Ｂに設けられたリブ１４同士の間に収容される。
【００２９】
このため、図９，１０に示すように、輸送時に収納ケース１０Ａ，Ｂを積み重ねるときに、重ね合わされる収納ケース１０Ａ，Ｂ同士のリブ１４が対向する場合でも、リブ１４同士が係合可能な構成である。このため、積み重ねられた収納ケース１０Ａ，Ｂがバランスを崩して落下することを防止することができる。
また、図１０に示すように、収納ケース１０Ａ，Ｂの保管時において、対向する複数のリブ１４同士が互い違いに係合するため、リブ１４の突設面１４ａ同士が付き合わされた状態となることに起因して収納ケース１０Ａ，Ｂの厚み方向（図８において上下方向）に嵩張って保管スペースが大きくなることを回避することができる。
【００３０】
さらに、各リブ１４は、突設面１４ａの縁部又は傾斜面１４ｂが対向するリブ１４の傾斜面１４ｂ上を摺動することによって谷部１４ｄに導かれる。このため、対向する複数のリブ１４同士をスムーズに係合させることができる。
【００３１】
なお、本発明は、前述した実施形態に限定されるものではなく、適宜な変形、改良などが可能である。
例えば、上記収納ケース１０は、表側面１２に複数のリブ１４を設け、裏側面１３に凹部領域１３ｂを設けた構成としたが、表側面１２に凹部領域を設け、裏側面に複数のリブを設ける構成としてもよい。
また、各リブ１４の形状は図１に示すものに限定されず、表側面１２と裏側面１３とを重ね合わせた際に凹部領域１３ｂ内に適宜位置する範囲で適宜変更することができる。さらに、リブ１４の配置は、図１に示すように直列に配置される構成に限定されず、各リブ１４が隣接するリブに対して収納ケース短手方向にずれるように配置されている構成としてもよい。
【００３２】
例えば、上記収納ケース１０においては表側面１２に窓部１２ａが設けられた構成としたがこれに限定されず、窓部が設けられていない構成としてもよい。
図１１は、上記実施形態の収納ケース１０の変形例を示す全体斜視図である。収納ケース２０は、収納ケース本体２１を備え、この収納ケース本体２１の表側面２２には窓部が設けられていない構成である。収納ケース２０の表側面２２には、裏側面２３と重ね合わせたときに凹部領域（図２参照）内に位置するように複数のリブ２４が表側面２２の一方の長辺中央から他方の長辺中央にわたって設けられている。
この収納ケース２０によれば、上記実施形態と同様の効果を得ることができる。
【００３３】
【発明の効果】
以上説明したように、本発明によれば、テープカセット用収納ケースの輸送するときや保管するときなどにおいていずれも取り扱いに便利なテープカセットを提供できる。
【００３４】
【図面の簡単な説明】
【図１】本発明にかかるテープカセット用収納ケースの表側面を示す全体斜視図である。
【図２】本発明にかかるテープカセット用収納ケースの裏側面を示す全体斜視図である。
【図３】図１のＡ−Ａ線断面図である。
【図４】図１のＢ−Ｂ線断面図である。
【図５】図２のＣ−Ｃ線断面図である。
【図６】複数の収納ケースを複数重ね合わせた状態を示す図である。
【図７】図６の矢印Ｚ方向に見た状態を説明する拡大図である。
【図８】収納ケースが表側面同士で重なり合わせされた状態を示す図である。
【図９】図８において複数のリブが対向した状態を説明する図である。
【図１０】図９に示す対向する複数のリブが互いに係合した状態を説明する図である。
【図１１】本発明にかかる磁気カセットテープ用収納ケースの変形例を示す全体斜視図である。
【符号の説明】
１０，２０  テープカセット用収納ケース（収納ケース）
１２，２２  表側面
１３，２３  裏側面
１３ｂ      凹部領域
１４，２４  リブ
１６        段差
１８        シート部材
【図１】
2005001710.tif 000003
【図２】
2005001710.tif 000004
【図３】
2005001710.tif 000005
【図４】
2005001710.tif 000006
【図５】
2005001710.tif 000007
【図６】
2005001710.tif 000008
【図７】
2005001710.tif 000009
【図８】
2005001710.tif 000010
【図９】
2005001710.tif 000011
【図１０】
2005001710.tif 000012
【図１１】
2005001710.tif 000013